(57)【要約】【課題】テレビ番組の早送りが実行されても、ユーザが視聴を開始したい地点から確実に再生を開始し、ユーザの使い勝手を向上させた光ディスク装置を提供する。【解決手段】早送りが指示されると、制御部４は、コンテンツの早送りを実行する。そして、早送りの実行中にセルアクセス制御フラグのセル１１０９に達すると、制御部４は、早送りを停止して、通常再生を実行する。これにより、セル１１０９の先頭から、即ちセル１１０９以後のセルから、通常の再生速度で再生が行われる。ここで、セル１１０９は、ユーザが時刻指定キーで指定した時刻に録画されたセルである。即ち、ユーザの視聴を開始したい地点（例えばテレビ番組中の１つのコーナーの始まり）のセルである。そのため、光ディスク装置１は、視聴を開始したい地点が早送りにより通り過ぎることなく、視聴を開始したい地点から確実に再生する。【選択図】  図９
2009015941.tif 000002
【特許請求の範囲】
【請求項１】
光ディスクにコンテンツデータをセル毎に録画する録画手段と、
前記光ディスクから前記コンテンツデータをセル毎に読取って再生するとともに、その再生の再生速度と異なる特殊再生を実行する再生手段と、を備える光ディスク装置において、
前記録画手段によって録画が行われる時間の内から、所望の所定時刻を指定する操作手段を備え、
前記録画手段は、前記録画時、前記操作手段で指定した前記所定時刻に録画するセルの前記光ディスク上の記憶位置を示す記憶位置情報を前記光ディスクに記録し、
前記再生手段は、前記記憶位置情報が前記光ディスクに記録されている場合、前記光ディスクに対する前記特殊再生の実行中、前記記憶位置情報に示されている前記記憶位置に存在する前記セルに達すると、前記特殊再生を停止してそのセルから前記再生を開始する光ディスク装置。
【請求項２】
前記録画手段は、ＤＶＤ−ＶＩＥＤＯフォーマットに基づいて、前記光ディスクに前記コンテンツデータをセル毎に録画するとともに、前記記憶位置情報であるセルアクセス制御フラグを前記光ディスクに記録する請求項１に記載の光ディスク装置。
【請求項３】
前記録画手段は、前記所定時刻に録画するセルのデータ量を、録画が行われる全セル中最小にして、前記光ディスクに録画する請求項１又は２に記載の光ディスク装置。
【請求項４】
前記特殊再生は、前記再生手段による前記再生より再生速度の速い高速再生、又は前記再生手段による前記再生が行われる方向に対して逆向きに再生する逆方向再生である請求項１から３のいずれかに記載の光ディスク装置。
【請求項５】
前記光ディスクは、ＤＶＤである請求項１から４のいずれかに記載の光ディスク装置。
【発明の詳細な説明】
【技術分野】
【０００１】
本発明は、光ディスクに対しコンテンツデータの録画又は再生をセル毎に行う光ディスク装置に関し、特に、その再生の再生速度と異なる特殊再生を実行する光ディスク装置に関するものである。
【背景技術】
【０００２】
従来、ＤＶＤ（Digital Versatile Disk）などの光ディスクに対し、テレビ番組などのコンテンツの録画と録画されたコンテンツの再生とを行う光ディスク装置が一般に普及している。
このような従来の光ディスク装置では、録画予約時間および所望のテレビ番組の配信チャンネルなどを、録画予約情報として、装置本体に付属するリモコン等からユーザが設定する。すると、光ディスク装置は、録画予約された日時に、予約されたテレビ番組を光ディスクに録画する。これにより、ユーザは、所望のテレビ番組を光ディスクに録画できる。
【０００３】
そして、録画完了後、光ディスクに録画したテレビ番組の再生をユーザが指示すると、光ディスク装置は、装置本体に接続されるテレビ等において、該テレビ番組を再生する。これにより、ユーザは、所望のテレビ番組をテレビ等において視聴できる。
【０００４】
その際、例えばテレビ番組中の１つのコーナーだけを視聴したいと考え、ユーザが、視聴を開始したい地点（テレビ番組中の１つのコーナーの始まり）まで、光ディスクに録画されているテレビ番組を早送りする場合がある。この場合、ユーザは、高速再生されるテレビ番組を上記テレビで確認しながら、視聴を開始したい地点に到達するのを待つ。そして、視聴を開始したい地点に到達した時に、ユーザは、光ディスクの再生を上記リモコンで光ディスク装置に指示する。この結果、光ディスク装置は、その指示された地点からテレビ番組の再生を開始する。ここで、早送りとは、（通常の）再生より再生速度の速い高速再生とする。また、巻戻しとは、再生が行われる方向に対して逆向きに再生する逆方向再生とする。
なお、特許文献１では、記録再生装置が提案されている。
【特許文献１】特開２００２−１３３８３７公報
【発明の開示】
【発明が解決しようとする課題】
【０００５】
しかしながら、光ディスクの再生をユーザが装置本体に指示しても、再生開始時には、視聴を開始したい地点（テレビ番組中の１つのコーナーの始まり）が通り過ぎていることが多かった。その理由は、視聴を開始したい地点をユーザがテレビで確認してから、光ディスクの再生をユーザが上記リモコンで光ディスク装置に指示して、その指示が実行されるまでにタイムラグがあるためである。
視聴を開始したい地点が通り過ぎた場合、ユーザは、再び巻戻しして、視聴を開始したい地点の前まで戻し、再び再生を指示していたが、これらの操作には非常に手間がかかっていた。従って、従来の光ディスク装置では、ユーザの使い勝手が悪かった。
【０００６】
本発明はこのような従来の課題を解決しようとするものであり、テレビ番組の早送りが実行されても、ユーザが視聴を開始したい地点から確実に再生を開始し、ユーザの使い勝手を向上させた光ディスク装置を提供することを目的とする。
【課題を解決するための手段】
【０００７】
本発明の光ディスク装置は、前記課題を解決するために以下の構成を備えている。
【０００８】
（１）光ディスクにコンテンツデータをセル毎に録画する録画手段と、
前記光ディスクから前記コンテンツデータをセル毎に読取って再生するとともに、その再生の再生速度と異なる特殊再生を実行する再生手段と、を備える光ディスク装置において、
前記録画手段によって録画が行われる時間の内から、所望の所定時刻を指定する操作手段を備え、
前記録画手段は、前記録画時、前記操作手段で指定した前記所定時刻に録画するセルの前記光ディスク上の記憶位置を示す記憶位置情報を前記光ディスクに記録し、
前記再生手段は、前記記憶位置情報が前記光ディスクに記録されている場合、前記光ディスクに対する前記特殊再生の実行中、前記記憶位置情報に示されている前記記憶位置に存在する前記セルに達すると、前記特殊再生を停止してそのセルから前記再生を開始する。
【０００９】
この構成において、光ディスクは、例えばブルーレイディスク、ＨＤＤＶＤを含むＤＶＤである。コンテンツは、例えばテレビ番組である。記憶位置情報は、例えばＤＶＤ−ＶＩＤＥＯフォーマットにおけるセルアクセス制御フラグである。
この構成では、ユーザが所定時刻を指定する第１の場面と、ユーザがコンテンツを光ディスクに録画する第２の場面と、光ディスクに録画したコンテンツを再生する第３の場面と、に分かれる。
まず、第１の場面において、具体的には録画手段による録画前に又は録画中に、ユーザは、視聴を開始したい地点（コンテンツ中の１つのコーナーの始まり）の時刻を所定時刻として操作手段で指定する。これにより、録画手段は、第２の場面において、該所定時刻に録画するセルの光ディスク上の記憶位置を記憶位置情報として光ディスクに記録する。記憶位置情報は、例えば該セルのアドレスである。
そして、再生手段は、第３の場面において特殊再生が実行された場合、光ディスクに記録されている記憶位置情報に示されている記憶位置に存在するセルで、該特殊再生を停止して通常再生を実行する。
これにより、そのセルから、通常の再生速度で再生が行われる。ここで、そのセルは、ユーザが操作手段で指定した時刻に録画されたセルである。即ち、ユーザの視聴を開始したい地点（例えばコンテンツ中の１つのコーナーの始まり）のセルである。そのため、光ディスク装置は、視聴を開始したい地点が早送りにより通り過ぎることなく、視聴を開始したい地点から確実に再生する。
よって、ユーザは、従来の光ディスク装置のように、再び巻戻しして、視聴を開始したい地点の前まで戻し、再び再生を指示しなくとも済む。そのため、ユーザは、これらの操作に要していた手間を省くことができる。従って、光ディスク装置では、ユーザの使い勝手を向上できる。
【００１０】
（２）前記録画手段は、ＤＶＤ−ＶＩＥＤＯフォーマットに基づいて、前記光ディスクに前記コンテンツデータをセル毎に録画するとともに、前記記憶位置情報であるセルアクセス制御フラグを前記光ディスクに記録する。
【００１１】
この構成において、光ディスクは、第２の場面において、ＤＶＤ−ＶＩＤＥＯフォーマットに基づいて録画される。そのため、ファイナライズ完了後の光ディスクを、ＤＶＤ−ＶＩＤＥＯフォーマットに対応の他の光ディスク装置にセットした場合、他の光ディスク装置は、上記（１）の再生手段と同じ動作を実行する。
よって、他の光ディスク装置においても、視聴を開始したい地点が早送りにより通り過ぎることなく、視聴を開始したい地点から確実に再生される。従って、他の光ディスク装置においても、本発明の光ディスク装置と同じ効果を奏する。
【００１２】
（３）前記録画手段は、前記所定時刻に録画するセルのデータ量を、録画が行われる全セル中最小にして、前記光ディスクに録画する。
【００１３】
第３の場面では、記憶位置情報に示されている記憶位置に存在するセルで特殊再生が停止して、そのセルから通常の再生が行われる。
しかし、そのセルの再生が終了するまで、同一セル内では特殊再生ができなくなる。第１の場面で視聴を開始したい地点として登録しても、第３の場面で気が変わることもある。この場合、ユーザは、そのセルの再生が終了するまで、特殊再生の実行を待たなければならない。
そこで、この構成では、第２の場面において、所定時刻に録画するセルのデータ量を、録画が行われる全セル中最小にしている。これにより、第３の場面においてそのセルの再生が即終了するので、ユーザは、特殊再生を光ディスク装置に即実行させることができる。従って、ユーザの使い勝手を一層向上できる。
【００１４】
（４）前記特殊再生は、前記再生手段による前記再生より再生速度の速い高速再生、又は前記再生手段による前記再生が行われる方向に対して逆向きに再生する逆方向再生である。
【００１５】
この構成において、高速再生は、所謂早送りである。また、逆方向再生は、所謂巻き戻しである。
【００１６】
（５）前記光ディスクは、ＤＶＤである。
【発明の効果】
【００１７】
この発明によれば、ユーザの使い勝手を向上できる。
【発明を実施するための最良の形態】
【００１８】
以下、本発明の実施形態である光ディスク装置について説明する。
【００１９】
図１は、本発明の実施形態である光ディスク装置の主要な構成を示すブロック図である。光ディスク装置１は、光ディスク装置１の各部の動作を制御する制御部４と、光ディスク１００に対しデータの記録や読取を行うピックアップヘッド２（以下、PUヘッド２と称する。）と、RFアンプなどの記録再生部３と、ユーザによる操作を受け付ける操作部５と、情報を表示する表示部７と、データを記憶する記憶部６と、音声データをアナログの再生音声信号に変換するＤ／Ａコンバータ１１と、映像データをアナログの再生映像信号に変換する映像処理部１３と、デコードされた映像信号に基づく映像にＯＳＤ（On Screen Display）画像を重ね合わせた合成映像を生成するＯＳＤ処理部１２と、ＴＶ放送信号を受信してＡＶ（オーディオビデオ）データを取得する受信部１０と、を備えている。
光ディスク装置１は、所謂ＤＶＤレコーダである。また、光ディスク１００は、記録可能な光ディスクである。光ディスク１００は、例えば、ＤＶＤ−Ｒ、ＤＶＤ＋Ｒ、ＤＶＤ−ＲＷ、ＤＶＤ＋ＲＷ、又はＤＶＤ−ＲＡＭである。
【００２０】
PUヘッド２は、レーザダイオード（ＬＤ）、コリメータレンズ、ビームスプリッタ、対物レンズ、フォトディテクタ、スレッドモータ、及びアクチュエータを備えている（いずれも不図示）。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源である。フォトディテクタは、複数の受光素子で形成されており、光ディスク１００からの反射光を検出する。
【００２１】
まず、読取時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２２】
記録再生部３は、ＰＵヘッド２における複数の受光素子の出力に基づいてＲＦ信号を生成し、そのＲＦ信号を増幅する。そして、記録再生部３は、そのＲＦ信号を処理してデータを取り出す。ここで、取り出される映像と音声等のデータは、例えばＭＰＥＧでエンコードされている。そして、記録再生部３は、映像と音声等のデータをデコードする。最後に、記録再生部３は、音声データをＤ／Ａコンバータ１１に、映像データをＯＳＤ処理部１２に、両データの同期を取りながら、それぞれ出力する。
【００２３】
Ｄ／Ａコンバータ１１は、伸長された音声データをアナログの再生音声信号に変換し、その再生音声信号を外部のテレビジョン１０１に出力する。
【００２４】
ＯＳＤ処理部１２は、不図示の画像メモリを内臓する。この画像メモリは、ＯＳＤ画像を示すＯＳＤ用データを格納するメモリである。
ＯＳＤ処理部１２は、制御部４から伝送される制御信号に基づいて、映像データをスルーして直接出力する場合と、映像データに基づく映像にＯＳＤ画像を重ね合わせた合成映像を生成してその合成映像データを出力する場合と、ＯＳＤ画像だけのＯＳＤ画像データを出力する場合と、で動作を切り替える。ＯＳＤ画像だけのＯＳＤ画像データを出力する場合だけは、再生していない時の動作となる。
【００２５】
映像処理部１３は、入力された映像データ、ＯＳＤ画像データまたは合成映像データをアナログの再生映像信号に変換し、外部のテレビジョン１０１に出力する。
【００２６】
Ｄ／Ａコンバータ１１及び映像処理部１３には、スピーカ内臓のテレビジョン１０１が接続されている。このテレビジョン１０１は、Ｄ／Ａコンバータ１１及び映像処理部１３から出力された映像信号に基づく映像、及び音声信号に基づく音声を再生する。これにより、ユーザは、再生されるテレビ番組を視聴することができる。
【００２７】
次に、記録時の動作について説明する。
受信部１０は、例えばチューナである。受信部１０は、ＴＶ放送等を受信するアンテナから選択されているチャンネルのＴＶ放送信号を抽出して、Ａ／Ｄ変換してディジタル化し、出力する。
【００２８】
そして、記録再生部３は、入力されたデータを（例えば、ＭＰＥＧで）エンコードし、ディジタル信号をＰＵヘッド２に出力する。
【００２９】
そして、ＰＵヘッド２は、記録再生部３からディジタル信号が入力されると、このディジタル信号に応じて記録パワーのレーザ光を制御し、光ディスク１００の記録面に照射する。これにより、ユーザは、テレビ番組などのコンテンツを光ディスク１００に録画できる。
なお、記録時においても上記ＯＳＤ表示を行う。
【００３０】
操作部５は、ユーザが光ディスク装置１に対して各種の命令（コマンド）を入力するためのものであり、複数のキーが設けられている。光ディスク装置１に対してユーザが入力したコマンドは、操作部５から制御部４に伝送される。
上記複数のキーの中には、録画予約の設定を行うための録画予約画面を表示する予約画面表示キーと、後述の図４、図５に示す録画予約画面におけるカーソル１０２の移動の受付けるカーソルキーと、録画予約画面において録画設定を行うための録画設定キーと、その録画設定において、録画が行われる時間の内から、所望の所定時刻の指定を受付ける時刻指定キーと、光ディスク１００に記録されたコンテンツの再生を指示するための再生キーと、再生タイトルの選択を受け付ける選択キーと、コンテンツの早送りを指示するための早送りキーと、光ディスク１００へのコンテンツの記録を指示するための録画キーと、が含まれる。
【００３１】
記憶部６は、例えばＥＥＰＲＯＭで構成されている。記憶部６は、光ディスク装置１の各部の制御方法が記述された制御プログラムを記憶する。
【００３２】
表示部７は、例えばLCD（Liquid Crystal Display）で構成される。表示部７は、時刻、光ディスク装置１の設定状態などを表示する。
【００３３】
制御部４は、例えばマイクロコンピュータで構成されている。さらに、上記制御プログラムで処理されるデータを展開するためのワークフィールドとしてのＲＡＭと、現在時刻を計時するタイマー回路と、を内臓する（いずれも不図示）。制御部４は、光ディスク装置１にユーザから入力された命令に応じて光ディスク装置１の各部の動作を制御する。
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っている。しかし、本発明の実施形態では図示を省略している。
【００３４】
ここで、ＰＵヘッド２、記録再生部３、映像処理部１３、Ｄ／Ａコンバータ１１および制御部４が、本発明の「再生手段」に相当する。また、ＰＵヘッド２、記録再生部３、受信部１０および制御部４が、本発明の「録画手段」に相当する。
【００３５】
図２は、本発明の実施形態である光ディスク装置にセットされる光ディスクの記憶領域を示す図である。光ディスク１００の記憶領域は、その内周から外周にかけてＰＣＡ９０、ＲＭＡ９１、リードイン領域９２、データ領域９３、リードアウト領域９４に分けられている。
【００３６】
ＰＣＡ９０は、レーザパワーの校正が行われる領域である。
ＲＭＡ９１は、光ディスク装置１にとって必要な記録管理情報が記録されている領域である。
【００３７】
リードイン領域９２は、光ディスク１００上のデータ領域９３に記録されているデータのＴＯＣデータが記録されている領域である。このＴＯＣデータには、保存されたデータがファイナライズされているかどうかの情報、データが保存された日付、保存されたデータの光ディスク上のアドレス情報などが含まれている。
データ領域９３は、保存されたデータが記録されている領域である。
リードアウト領域９４は、保存されたデータがファイナライズされた場合に作成される領域である。このファイナライズとは、他の光ディスク装置と互換性を持つようにするために記録情報を整えるためのプロセスである。ファイナライズを行うことにより、他の光ディスク装置においても光ディスク１００の再生が可能となる。
【００３８】
図３は、ＤＶＤ−Ｖideoフォーマットで記録された光ディスク上のデータのデータ構造を示す図である。ＤＶＤ−Ｖideoフォーマットで記録された光ディスク１００上には、図３Ａに示すように、その内周から外周にかけてVMGI９５、VMGM_VOBS９６、VMGIbup９７、タイトルＴ１〜Ｔ３が記録されている。
VMGI(Video  Manager  Information)９５には、ＤＶＤ−Ｖideo全体の再生関連情報（制御情報）、いわゆるルートメニューの情報が記述されている。例えば、ＶＴＳＩのアドレス情報等もここに記述されている。
【００３９】
VMGM_VOBS(Video  Object  Set  for  VMG  Menu)９６には、ＶＯＢＳ１００３に記述されているコンテンツの再生に先立って再生されるコンテンツが記述されている。このコンテンツには、タイトル選択画面が含まれる。タイトル選択画面とは、光ディスク１００に記録されているタイトルの一覧を表す画面である。光ディスク装置１は、その画面において、再生タイトルの選択を、再生開始前に要求する。
VMGIbup９７は、VMGI９５のバックアップファイルである。
また、タイトルＴ１は、ＶＴＳＩ（Ｖideo  Ｔitle  Ｓet  Ｉnformation）１００２とＶＯＢＳ（Ｖideo  Ｏbject  Ｓet）１００３とＶＴＳＩbup１００４とから構成されている（図３Ａ参照）。タイトルＴ２、Ｔ３も、タイトルＴ１と同様のデータ構造となっている。ＤＶＤ−Ｖideoフォーマットでは、最大９９タイトルまで収録が可能である。図３Ａでは、３タイトル収録されている。
【００４０】
ＶＴＳＩ１００２には、そのＶＯＢＳ１００３に対する制御情報が記述されている。
【００４１】
ＶＯＢＳ１００３には、タイトル再生のためのコンテンツ（テレビ番組など）が記述されている。該ＶＯＢＳ１００３には、図３Ｂに示すように、複数のセル１１００〜１１９９から構成されている。
なお、ＶＯＢＳとＶＴＳとは、同じものを表す。
【００４２】
ＶＴＳＩbup１００４には、ＶＴＳＩ１００２のバックアップファイルが記述されている。
ＤＶＤ−Ｖideoフォーマットにおいて、コンテンツデータは、予め決められたセル単位で記録される。
セル１１００は、複数のＶＯＢＵ（Ｖideo  Ｏbject  Ｕnit）１２００〜１２０５で構成される（図３Ｃ参照）。１つのタイトルに含まれるセルの最大数は２５５セルである。そのため、光ディスクに１０時間分のデータを記録する場合、１セルは、例えば２分３０秒である。
ＶＯＢＵ１２００には、先頭にＮＶ＿ＰＣＫ（Ｎavigatyion  Ｐack）１３００が置かれ、続いてビデオデータやオーディオデータ（ＡＶデータ）などがパック化されて挿入される（図３D参照）。コンテンツデータ（ＡＶデータ）のパック化やセル化は、記録再生部３においてエンコード時に行われる。
【００４３】
ここで、ユーザが録画予約の設定を行う第１の場面と、ユーザがテレビ番組を光ディスク１００に録画する第２の場面と、光ディスク１００に録画したテレビ番組を再生する第３の場面と、に分けて説明する。
【００４４】
まず、第１の場面から説明する。
録画予約の設定を行うため、ユーザは予約画面表示キーを押下する。すると、光ディスク装置１は、図４に示す録画予約画面をテレビジョン１０１においてＯＳＤ表示する。
【００４５】
図４は、テレビジョン１０１で表示される録画予約画面の一例を示す図である。図５は、テレビジョン１０１で表示される特殊再生停止時刻の設定画面の一例を示す図である。
ユーザは、図４に示す録画予約画面を見ながらカーソルキーによりカーソル１０２を移動させ、録画開始日時／録画終了日時（まとめて録画予約時間と称する）、所望のテレビ番組の配信チャンネル、録画時の画質モードなどを、録画予約情報として、録画設定キーで設定する。この時、図４に示す録画予約画面の右端のＴrickの項目をユーザがオンにすると、光ディスク装置１は、図５に示す特殊再生停止時刻の設定画面をテレビジョン１０１においてＯＳＤ表示する。ここで、録画予約するテレビ番組中の１つのコーナーだけを特に視聴したいと考えた場合、ユーザは、視聴を開始したい地点（テレビ番組中の１つのコーナーの始まり）の時刻を特殊再生停止時刻として時刻指定キーで指定する。即ち、ユーザは、録画が行われる時間の内から、所望の所定時刻を時刻指定キーで指定する。図５では、カーソル１０２をカーソルキーで移動させることにより、ユーザは３つの特殊再生停止時刻（例えば「２１：１５」と「２１：３５」と「２２：５０」）を指定できる。
【００４６】
以上の録画設定が完了すると、制御部４は、設定された録画予約情報を記憶部６に登録する。そして、制御部４は、録画予約情報を参照しつつタイマー回路で現在時刻を計時し、録画予約された日時になると録画を開始する。
【００４７】
次に、第２の場面について説明する。
図６は、本発明の実施形態である光ディスク装置の制御部４が録画時に行う動作を示すフローチャートである。図７は、光ディスク１００にセル毎に録画されるコンテンツデータの様子を示す図である。図６の動作は、録画予約された日時「２１：００」になった時、ユーザが録画キーを押下した時、の内のいずれかの時の動作である。また、図５では「２１：１５」「２１：３５」「２２：５０」が表示されているが、図６では、代表して「２１：１５」のみが指定されたケースについて説明する。
【００４８】
まず、制御部４は、受信部１０の受信チャンネルを録画予約されたチャンネルに合わせて、光ディスク１００に対する録画を開始する（Ｓ１）。この録画は、ＤＶＤ−ＶＩＤＥＯフォーマットで行われる。これにより、予約したテレビ番組が、ＤＶＤ−ＶＩＤＥＯフォーマットで光ディスク１００にセル毎に録画される（図７参照）。
【００４９】
そして、録画終了日時になるまで（Ｓ５）、制御部４は、現在時刻が特殊再生停止時刻「２１：１５」に達したか否かを判断する（Ｓ２）。この実施形態では、上記録画予約による特殊再生停止時刻の設定の他、ユーザが、録画中に時刻指定キーを押下して所定時刻を指定し、特殊再生停止時刻を設定する状態となっている。ここで、録画中に、時刻指定キーが押下された場合、制御部４は、その押下された時刻を特殊再生停止時刻に設定する。そして、制御部４は、Ｓ２において、現在時刻が特殊再生停止時刻に達したか否かを判断する。
【００５０】
現在時刻が特殊再生停止時刻に達すると、まず、制御部４は、特殊再生停止時刻に録画するセルを作成して光ディスク１００に録画する（Ｓ３）。この実施形態では、特殊再生停止時刻「２１：１５」に録画するセルがセル１１０９であったと仮定して以下説明する。
【００５１】
次に、制御部４は、特殊再生停止時刻に録画するセル１１０９の光ディスク１００上の記憶位置を示すセルアクセス制御フラグをＲＡＭ上にセットする（Ｓ４）。セルアクセス制御フラグは、例えばセル１１０９の先頭からのセル番号である。図７に示すように、セル１１０９は、先頭から１０番目にあたるため、セル番号は「１０」になる。
【００５２】
最後に、録画終了日時になると（Ｓ５）、制御部４は、録画終了処理を行い（Ｓ６）、本処理を終了する。詳述すると、制御部４は、その録画終了処理において、ＲＡＭ上にセットしておいたセルアクセス制御フラグを記述したＶＴＳＩ１００２を作成し、光ディスク１００に記録する。その後、制御部４は、その他のタイトルの録画、VMGI９５、VMGM_VOBS９６、VMGIbup９７の作成および録画などを行う。また、制御部４は、上記のファイナライズも光ディスク１００に施す。
【００５３】
以上のようにして、光ディスク装置１は、録画予約された日時に、予約されたテレビ番組を光ディスク１００に録画する。その結果、テレビ番組を示すコンテンツデータが図３に示す形式で光ディスク１００に記録される。これにより、ユーザは、所望のテレビ番組を光ディスク１００に録画できる。
【００５４】
最後に、第３の場面について説明する。
図８は、本発明の実施形態である光ディスク装置の制御部４が再生時に行う動作を示すフローチャートである。図９は、光ディスク１００からセル毎に再生されるコンテンツデータの様子を示す図である。図８の動作は、ユーザが再生キーを押下して、再生タイトルとしてタイトルＴ１を選択した時の動作である。
【００５５】
まず、制御部４は、タイトルＴ１中のＶＴＳＩ１００２を読取る（Ｓ１０１）。これにより、制御部４は、ＶＯＢＳ１００３に格納されているコンテンツデータに関する制御情報を取得する。この制御情報には、上記のセルアクセス制御フラグが含まれる（図３参照）。
【００５６】
制御部４は、ＶＴＳＩ１００２を解析してセルアクセス制御フラグを取得する（Ｓ１０２）。これにより、制御部４は、特殊再生停止時刻「２１：１５」に録画したセルの光ディスク１００上の記憶位置を把握する。制御部４は例えばセル番号「１０」を把握する。この実施形態では、特殊再生停止時刻「２１：１５」に録画したセルは、セル１１０９である（図９参照）。
【００５７】
そして、制御部４は、ＶＯＢＳ１００３の再生を開始する（Ｓ１０３）。これにより、ＤＶＤ−ＶＩＤＥＯフォーマットで録画したテレビ番組が、光ディスク１００からセル毎に再生される。
【００５８】
タイトルＴ１の再生が終了するまで（Ｓ１０８）、制御部４は、早送りや巻戻しを含む特殊再生が指示されたかどうかを判断する（Ｓ１０４）。ここでは、ユーザがコンテンツの特殊再生を指示できる状態となっている。この実施形態では、特殊再生を代表して、ユーザが早送りキーを押下した場合について以下説明する。
【００５９】
早送りが指示されると、制御部４は、コンテンツの早送りを実行する（Ｓ１０５）。これにより、制御部４は、複数のセルを、指示された再生速度に応じて飛び飛びに再生する（図９参照）。
【００６０】
そして、早送りの実行中にセルアクセス制御フラグのセル１１０９に達すると（Ｓ１０６）、制御部４は、早送りを停止して、（通常）再生を実行する（Ｓ１０７）。これにより、セル１１０９の先頭から、即ちセル１１０９以後のセルから、通常の再生速度で再生が行われる。ここで、セル１１０９は、ユーザが時刻指定キーで指定した時刻に録画されたセルである。即ち、ユーザの視聴を開始したい地点（例えばテレビ番組中の１つのコーナーの始まり）のセルである。そのため、光ディスク装置１は、視聴を開始したい地点が早送りにより通り過ぎることなく、視聴を開始したい地点から確実に再生する。
【００６１】
よって、ユーザは、従来の光ディスク装置のように、再び巻戻しして、視聴を開始したい地点の前まで戻し、再び再生を指示しなくとも済む。そのため、ユーザは、これらの操作に要していた手間を省くことができる。従って、光ディスク装置１では、ユーザの使い勝手を向上できる。
【００６２】
また、光ディスク１００は、図６に示すように、ＤＶＤ−ＶＩＤＥＯフォーマットに基づいて録画される。そのため、ファイナライズ完了後の光ディスク１００を、ＤＶＤ−ＶＩＤＥＯフォーマットに対応の他の光ディスク装置にセットした場合、他の光ディスク装置は、図８に示す動作を実行する。よって、他の光ディスク装置においても、視聴を開始したい地点が早送りにより通り過ぎることなく、視聴を開始したい地点から確実に再生される。従って、他の光ディスク装置においても、光ディスク装置１と同じ効果を奏する。
【００６３】
また、本発明の実施形態は、以下の変形例を採用することができる。
【００６４】
図６においてセルアクセス制御フラグをセットすると、そのフラグのセル１１０９の先頭で特殊再生が停止して、その先頭から通常の再生が行われる（図９参照）。
しかし、そのセル１１０９の再生が終了するまで、同一セル内では特殊再生ができなくなる。録画予約時に視聴を開始したい地点として登録しても、再生時に気が変わることもある。この場合、ユーザは、セル１１０９の再生が終了するまで、特殊再生の実行を待たなければならない。
そこで、制御部４は、図６のＳ３において、セル１１０９のデータ量を、録画が行われる全セル中最小にして、光ディスク１００に録画する。具体的には、制御部４はセル１１０９に格納するＶＯＢＵ数を、最小の１に設定する。この場合、１セルは、１ＶＯＢＵが０，５秒なので、通常再生で０，５秒になる。これにより、セル１１０９の再生が即終了するので、ユーザは、特殊再生を光ディスク装置１に即実行させることができる。従って、ユーザの使い勝手を一層向上できる。
【図面の簡単な説明】
【００６５】
【図１】本発明の実施形態である光ディスク装置の主要な構成を示すブロック図
【図２】本発明の実施形態である光ディスク装置にセットされる光ディスクの記憶領域を示す図
【図３】ＤＶＤ−Ｖideoフォーマットで記録された光ディスク上のデータのデータ構造を示す図
【図４】テレビジョン１０１で表示される録画予約画面の一例を示す図
【図５】テレビジョン１０１で表示される特殊再生停止時刻の設定画面の一例を示す図
【図６】本発明の実施形態である光ディスク装置の制御部４が録画時に行う動作を示すフローチャート
【図７】光ディスク１００にセル毎に録画されるコンテンツデータの様子を示す図
【図８】本発明の実施形態である光ディスク装置の制御部４が再生時に行う動作を示すフローチャート
【図９】光ディスク１００からセル毎に再生されるコンテンツデータの様子を示す図
【符号の説明】
【００６６】
１−光ディスク装置
２−ピックアップヘッド
３−記録再生部
４−制御部
５−操作部
６−記憶部
７−表示部
１０−受信部
１１−Ｄ／Ａコンバータ
１２−ＯＳＤ処理部
１３−映像処理部
１００−光ディスク
１０１−テレビジョン
【図１】
2009015941.tif 000003
【図２】
2009015941.tif 000004
【図３】
2009015941.tif 000005
【図４】
2009015941.tif 000006
【図５】
2009015941.tif 000007
【図６】
2009015941.tif 000008
【図７】
2009015941.tif 000009
【図８】
2009015941.tif 000010
【図９】
2009015941.tif 000011